(57)【要約】【課題】  小型化された場合であって相手コネクタからの取外しに関する操作性の低下が回避されたワイヤカバー付きコネクタ、および、このようなワイヤカバー付きコネクタに好適なワイヤカバーを提供する。【解決手段】  前端が相手コネクタと嵌合するものであって、相手コネクタに設けられたロック係合部材に相手コネクタとの嵌合時に係合し係合解除の際には指による操作を受けるロックアームを有する、ワイヤが後端から延出したコネクタと、コネクタの後端に取り付けられた、ワイヤを束ねワイヤを所定の延出方向に案内する、ワイヤカバーとを備え、  このワイヤカバーが、取り付けられたコネクタのロックアームの後ろ側になる部位に設けられた、ロックアームへの指のアクセスを自在にする開口と、開口を画定する壁のうちの、前方を向いた壁に設けられた、開口を経由してロックアームへアクセスした指を支持する指支持部とを有するものである。【選択図】        図１
2006031974.tif 000002
【特許請求の範囲】
【請求項１】
前端が相手コネクタと嵌合するものであって、該相手コネクタに設けられたロック係合部材に前記相手コネクタとの嵌合時に係合し係合解除の際には指による操作を受けるロックアームを有する、ワイヤが後端から延出したコネクタと、
前記コネクタの後端に取り付けられた、前記ワイヤを束ね該ワイヤを所定の延出方向に案内するワイヤカバーとを備え、
前記ワイヤカバーが、
取り付けられたコネクタのロックアームの後ろ側になる部位に設けられた、該ロックアームへの指のアクセスを自在にする開口と、
前記開口を画定する壁のうちの、前方を向いた壁に設けられた、前記開口を経由して前記ロックアームへアクセスした指を支持する指支持部とを有するものであることを特徴とするワイヤカバー付きコネクタ。
【請求項２】
相手コネクタに設けられたロック係合部材に前記相手コネクタとの嵌合時に係合し係合解除の際には指による操作を受けるロックアームを有する、ワイヤが後端から延出し、前端が相手コネクタと嵌合するコネクタの後端に取り付けられる、前記ワイヤを束ね該ワイヤを所定の延出方向に案内するワイヤカバーにおいて、
前記コネクタの後端に取り付けられた際に前記ロックアームの後ろ側になる部位に設けられた、該ロックアームへの指のアクセスを自在にする開口と、
前記開口を画定する壁のうちの、前方を向いた壁に設けられた、前記開口を経由して前記ロックアームへアクセスした指を支持する指支持部とを有することを特徴とするワイヤカバー。
【請求項３】
前記指支持部が、指の腹の形状に沿った曲面状のものであることを特徴とする請求項２記載のワイヤカバー。
【発明の詳細な説明】
【技術分野】
【０００１】
本発明は、ワイヤを束ねる共に所定の延出方向に案内するワイヤカバーと、このワイヤーカバーが取り付けられたワイヤカバー付きコネクタに関する。
【背景技術】
【０００２】
従来より、前端が相手コネクタと嵌合し、相手コネクタに設けられたロック係合部材に相手コネクタとの嵌合時に係合し係合解除の際には指による操作を受けるロックアームを有する、ワイヤが後端から延出したコネクタには、ワイヤーを束ねると共に所定の方向に案内するためのカバー、いわゆるワイヤーカバーを備えるものがある（例えば、特許文献１参照。）。
【０００３】
特許文献１に提案されているワイヤーカバー付きコネクタの、相手コネクタからの取り外しは、相手コネクタに設けられたロック係合部材とロックアームとの係合を指で解除しながら、コネクタ部分の、相手コネクタに近い部分を把持して行なわれている。
【特許文献１】特開平９−９２３７８号公報
【発明の開示】
【発明が解決しようとする課題】
【０００４】
ところが、最近では、装置の小型化に伴い、装置に用いられているコネクタにも小型化の波が押し寄せてきている。このため、ロックアームを操作しながら、ワイヤカバーを避けて把持できるコネクタ部分は少なくなり、取り外しがし難くなってきた。
【０００５】
本発明は、上記事情に鑑み、小型化されても相手コネクタからの取外しに関する操作性の低下が回避されたワイヤカバー付きコネクタ、および、このようなワイヤカバー付きコネクタに好適なワイヤカバーを提供することを目的とする。
【課題を解決するための手段】
【０００６】
上記目的を達成するための本発明のワイヤカバー付きコネクタは、
前端が相手コネクタと嵌合するものであって、この相手コネクタに設けられたロック係合部材に上記相手コネクタとの嵌合時に係合し係合解除の際には指による操作を受けるロックアームを有する、ワイヤが後端から延出したコネクタと、
上記コネクタの後端に取り付けられた、上記ワイヤを束ねこのワイヤを所定の延出方向に案内するワイヤカバーとを備え、
上記ワイヤカバーが、
取り付けられたコネクタのロックアームの後ろ側になる部位に設けられた、このロックアームへの指のアクセスを自在にする開口と、
上記開口を画定する壁のうちの、前方を向いた壁に設けられた、上記開口を経由して上記ロックアームへアクセスした指を支持する指支持部とを有するものであることを特徴とする。
【０００７】
従来のワイヤカバー付きコネクタでは、コネクタの小型化が進んだ場合の、ロックアームにアクセスした指が相手コネクタからワイヤカバー付きコネクタを取り外すためにワイヤカバーに掛かる力の効果的な利用については考慮されていないのに対し、本発明のワイヤカバー付きコネクタでは、ワイヤカバーに、ロックアームにアクセスした指を支持する指支持部を備えることにより、ロックアームにアクセスした指が相手コネクタからワイヤカバー付きコネクタを取り外すためにワイヤカバーに掛かる力を相手コネクタからワイヤカバー付きコネクタを取り外す力として効果的に利用することができる。したがって、本発明のワイヤカバー付きコネクタによれば、小型化された場合であっても相手コネクタからの取外しに関する操作性の低下を回避することができる。
【０００８】
上記目的を達成するための本発明のワイヤカバーは、
相手コネクタに設けられたロック係合部材に上記相手コネクタとの嵌合時に係合し係合解除の際には指による操作を受けるロックアームを有する、ワイヤが後端から延出し、前端が相手コネクタと嵌合するコネクタの後端に取り付けられる、上記ワイヤを束ねこのワイヤを所定の延出方向に案内するワイヤカバーにおいて、
上記コネクタの後端に取り付けられた際に上記ロックアームの後ろ側になる部位に設けられた、このロックアームへの指のアクセスを自在にする開口と、
上記開口を画定する壁のうちの、前方を向いた壁に設けられた、上記開口を経由して上記ロックアームへアクセスした指を支持する指支持部とを有することを特徴とする。
【０００９】
ここで、上記指支持部が、指の腹の形状に沿った曲面状のものであることが好ましい。
【００１０】
このようにすると、指が相手コネクタからワイヤカバー付きコネクタを取り外すためにワイヤカバーに与えた力を相手コネクタからワイヤカバー付きコネクタを取り外す力としてより一層効果的に利用することができる。
【発明の効果】
【００１１】
本発明のワイヤカバーが備えられた、本発明のワイヤカバー付きコネクタによれば、小型化された場合であって相手コネクタからの取外しに関する操作性の低下を回避することができる。
【発明を実施するための最良の形態】
【００１２】
以下、本発明のワイヤカバーの実施形態を備えた、本発明のワイヤカバー付きコネクタの実施形態について説明する。
【００１３】
図１は、本発明のワイヤカバー付きコネクタの一実施形態の外観斜視図である。
【００１４】
図１に示すワイヤカバー付きコネクタ１は、前面が相手コネクタと嵌合するコネクタ１２の後面側にワイヤカバー１１が取り付けられたものであり、図１には、コネクタ１の後面側から挿入された雌型端子に圧着されたワイヤ２が、このワイヤカバー１１によって所定方向に案内されている様子が示されている。
【００１５】
図１に示すコネクタ１２は、相手コネクタとの嵌合時に、相手コネクタに備えられたロック係合部材と係合し、係合解除の際には指による操作を受けるロックアーム部１２１と、ワイヤ２が圧着された雌型端子を保持するハウジング部１２２と、ワイヤカバー１１を取り付けるための突起１２２ａ（図４参照）を保護するガード部１２３とを備えている。
【００１６】
コネクタ１２を構成するロックアーム部１２１は、弾性を有するアーム１２１ｃ上に、相手コネクタに備えられたロック係合部材と係合する係合突起１２１ｂと、ロック係合部材と係合突起１２１ｂとの係合を解除するために押し下げられる操作部材１２１ａとが設けられたものである。
【００１７】
図１に示すワイヤカバー１１には、このワイヤカバー付きコネクタ１を相手コネクタから取り外す際に指が操作部材１２１ａにアクセスできるように開口１１ａが備えられており、図１には、その開口１１ａからコネクタ１２に保持されたワイヤ２が覗いている様子が示されている。
【００１８】
また、図１に示すワイヤカバー１１には、上記開口１１ａを画定する壁のうちの、コネクタ１２側を向いた壁に、この開口１１ａを経由して操作部材１２１ａにアクセスした指を支持する指支持部１１１が備えられている。この指支持部１１１は、指の腹の形状に沿って凹んだ曲面状のものである。
【００１９】
さらに、図１に示すワイヤカバー１１には、ワイヤ２が挿通される挿通口１１ｂに挿通されたワイヤ２を固定するためのアシストフック部１１３、ワイヤハーネス状態における仮置きのためのフック穴１１２ａが設けられたフック部１１２、および、ワイヤカバー１１をコネクタ１２に取り付けるための取付部１１４が備えられている。
【００２０】
図２は、図１に示すワイヤカバー付きコネクタのワイヤカバーのみの外観斜視図である。
【００２１】
図２（ａ）には、図１と同じ方向からワイヤカバー１１を見た場合の外観斜視図が示されており、コネクタ１２に備えられた突起１２２ａ（図４参照）と係合する取付孔１１４ａを有する取付部１１４が設けられている様子が示されている。
【００２２】
図２（ｂ）には、図１に示すコネクタ１２側からワイヤカバー１１を見た場合の外観斜視図が示されており、このワイヤカバー１１は、後端からワイヤ２が延出したコネクタ１２に対しサイド側からスライドさせた後、コネクタ１２に備えられた突起１２２ａ（図４参照）と取付部１１４に設けられた取付孔１１４ａとを係合させることによりコネクタ１２に取り付けることができるようになっている。
【００２３】
図３は、ワイヤカバーの底面図および側面図である。
【００２４】
図３（ａ）には、図２（ａ）に示す矢印Ａの向きにワイヤカバー１１を見た場合が示されており、このワイヤカバー１１には、コネクタ２に備えられたロックアーム部１２１の操作部材１２１ａに指をアクセスさせた際に指を支持する指支持部材１１１と同じ形状を有する第２の指支持部材１１１１が底面側にも備えられている。図３（ｂ）には、図２（ａ）に示す矢印Ｂの向きにワイヤカバー１１を見た場合が示されており、ここには、このワイヤカバー１１を補強するためのリブ１１５が内面側に２本備えられている様子が示されている。
【００２５】
図４は、図１に示すワイヤカバー付きコネクタのコネクタのみの外観斜視図である。
【００２６】
図４（ａ）には、図１における向こう側から、即ち、嵌合する相手コネクタ側であって、ロックアーム部１２１が備えられた上面側からコネクタ１２を見た場合が示されており、コネクタ１２の前面側には、嵌合する相手コネクタに保持されている雄型端子を受け入れる雄型端子受入口１２２ｂが設けられている様子が示されている。
【００２７】
また、図４（ａ）には、コネクタ１２のハウジング部１２２に、ワイヤカバー１１に備えられた取付部１１４の取付孔１１４ａと係合する突起１２２ａと、コネクタ１２の後面からハウジング部１２２内に挿入された雌型端子のハウジング部１２２での係止状態を、仮係止と本係止との間で切り替えるためのリテーナ１２４（図４（ｂ）参照）の状態を確認するための本係止溝１２２ｃ（上段側）および仮係止溝１２２ｄ（下段側）とが示されている。
【００２８】
図４（ｂ）には、コネクタ１２の、ロックアーム部１２１が備えられた側とは反対側の底面側から見た場合が示されており、ここには、コネクタ１２に収容された、図示省略下ワイヤ結線された雌型端子をハウジング部１２２内に本係止状態にした場合のリテーナ１２４の状態が示されている。尚、このリテーナ１２４に説明については、既に公知の技術であり、本発明に無関係であることから省略する。
【００２９】
また、図４（ｂ）にも、コネクタ１２のハウジング部１２２に、ワイヤカバー１１に備えられた取付部１１４の取付孔１１４ａと係合する突起１２２ａが備えられている様子が示されており、コネクタ１２とワイヤカバー１１とがこのように４箇所で確実に係合されることで、相手コネクタからこのワイヤカバー付きコネクタ１を取り外す際にワイヤカバー１１のみを引っ張ってもコネクタ１２とワイヤカバー１１との係合が外れないようになされている。
【００３０】
以上説明したように、従来のワイヤカバー付きコネクタでは、コネクタの小型化が進んだ場合の、ロックアームにアクセスした指が相手コネクタからワイヤカバー付きコネクタを取り外すためにワイヤカバーに掛かる力の効果的な利用については考慮されていないのに対し、本実施形態のワイヤカバー付きコネクタ１では、ワイヤカバー１１に、ロックアーム部１２の操作部材１２１ａにアクセスした指を支持する指支持部材１１１が備えられており、このため、操作部材１２１ａにアクセスした指が相手コネクタからワイヤカバー付きコネクタ１を取り外すためにワイヤカバー１１に掛かる力を相手コネクタからワイヤカバー付きコネクタ１を取り外す力として効果的に利用することができる。したがって、本実施形態のワイヤカバー付きコネクタ１によれば、小型化された場合であっても相手コネクタからの取外しに関する操作性の低下を回避することができる。
【００３１】
尚、本実施形態では、ワイヤカバー１１の上面側および底面側にそれぞれ、指支持部材１１１と第２の指支持部材１１１１とを備えた場合を例に挙げたが、本発明ではロックアーム部２１の操作部材１２１ａにアクセスする指を支持する指支持部材１１１が備えられていれば、第２の指支持部材１１１１が備えられていなくても本発明の効果は減却されるものではなく、また、これら指支持部材の形状が指の腹の形状に沿った曲面状になっている場合を例に挙げたが、本発明ではロックアーム部１２１の操作部材１２１ａにアクセスする指を支持できる形状であればこの形状に限るものではない。
【図面の簡単な説明】
【００３２】
【図１】本発明のワイヤカバー付きコネクタの一実施形態の外観斜視図である。
【図２】図１に示すワイヤカバー付きコネクタのワイヤカバーのみの外観斜視図である。
【図３】ワイヤカバーの底面図および側面図である。
【図４】図１に示すワイヤカバー付きコネクタのコネクタのみの外観斜視図である。
【符号の説明】
【００３３】
１  ワイヤカバー付きコネクタ
１１  ワイヤカバー
１１ａ  開口
１１ｂ  挿通口
１１１  指支持部
１１１１  第２の指支持部
１１２  フック部
１１２ａ  フック穴
１１３  アシストフック部
１１４  取付部
１１４ａ  取付孔
１１５  リブ
１２  コネクタ
１２１  ロックアーム部
１２１ａ  操作部材
１２１ａ  操作部材
１２１ｂ  係合突起
１２２  ハウジング部
１２２ａ  突起
１２２ｂ  雄型端子受入口
１２２ｃ  本係止溝
１２２ｄ  仮係止溝
１２３  ガード部
１２４  リテーナ
【図１】
2006031974.tif 000003
【図２】
2006031974.tif 000004
【図３】
2006031974.tif 000005
【図４】
2006031974.tif 000006